(57)【要約】【課題】建物の防耐火性能を確保しつつ、天井及び壁を適切に支持する。【解決手段】梁４の下方位置に設置された天井２と、天井２の下方位置で天井２と交差するように設置された内壁３とを備えた建物１において、金属製の天井保持用ランナー７と、金属製の壁保持用ランナー８と、を有し、天井保持用ランナー７が外壁固定用金物６を介して梁４に支持されており、壁保持用ランナー８が天井保持用ランナー７の下部に固定されている。【選択図】図１
2018150721.tif 000002
【特許請求の範囲】
【請求項１】
梁の下方位置に設置された天井と、該天井の下方位置で該天井と交差するように設置された壁と、を備えた建物であって、
不燃材料からなり、前記天井を前記梁の下方位置に保持しておくための天井保持用ランナーと、
不燃材料からなり、前記壁を前記天井の下方位置に保持しておくための壁保持用ランナーと、を有し、
前記天井保持用ランナーが前記梁に支持され、前記壁保持用ランナーが前記天井保持用ランナーの下部に固定されていることを特徴とする建物。
【請求項２】
前記梁の下端部に固定され、前記梁の下端部から延出した金物を更に有し、
前記天井保持用ランナーは、前記金物に固定されていることで前記梁に支持されていることを特徴とする請求項１に記載の建物。
【請求項３】
前記壁は、前記壁より前記建物の屋外側にある外壁に沿って設置された内壁であり、
前記金物は、
前記外壁に向かって延出し、前記外壁が固定されている外壁固定部と、
該外壁固定部と一体化しており、前記天井保持用ランナーが固定されているランナー固定部と、を有することを特徴とする請求項２に記載の建物。
【請求項４】
前記天井は、該天井の下部に設置されたボード材と、該ボード材の上方に位置して該ボード材が固定されている下地材と、を有し、
前記天井保持用ランナーには、前記下地材における屋外側の端部が係合しており、
前記天井保持用ランナーに係合された前記下地材の端部が固定具によって前記天井保持用ランナーと共に前記金物に固定されていることを特徴とする請求項２又は請求項３に記載の建物。
【請求項５】
前記下地材は、該下地材における屋内側の端部及び屋外側の端部を構成する端部構成材と、該端部構成材の間に配置されており該端部構成材の各々と交差する方向に延びた交差材と、を有し、
前記端部構成材の各々は、前記梁の延出方向と同じ方向に延びた角材であり、
前記天井保持用ランナーには、前記下地材における屋外側の端部を構成する前記端部構成材が係合していることを特徴とする請求項４に記載の建物。
【請求項６】
前記天井保持用ランナーは、前記交差材の延出方向に延びた上壁及び下壁と、前記上壁における屋外側の端から前記下壁における屋外側の端まで垂下した垂下壁と、を有し、
前記上壁、前記下壁及び前記垂下壁に囲われたスペース内に、前記下地材における屋外側の端部を構成する前記端部構成材が配置されており、
前記交差材の延出方向において、前記上壁の長さは、前記下壁の長さよりも短くなっており、前記下壁の長さは、前記下地材における屋外側の端部を構成する前記端部構成材の長さよりも長くなっていることを特徴とする請求項５に記載の建物。
【請求項７】
前記交差材は、前記端部構成材の延出方向に沿って一定間隔毎に複数配置されて、
前記下壁は、前記下地材における屋外側の端部を構成する前記端部構成材よりも屋内側に張り出した張り出し部分を有しており、
該張り出し部分のうち、前記端部構成材の延出方向において前記交差材の間に位置する領域には、前記ボード材を固定するための固定具が打ち込まれていることを特徴とする請求項６に記載の建物。
【発明の詳細な説明】
【技術分野】
【０００１】
本発明は、建物に係り、特に、梁の下方位置に天井が設置され、天井の下方位置で天井と交差するように設置された壁と、を有する建物に関する。
【背景技術】
【０００２】
建物における内装構造としては、梁の下方位置に設置された天井と、天井の下方位置で天井と交差するように設置された壁と、が設けられている構造が一般的である。また、天井及び壁は、通常、梁等の躯体に支持されることになっている。ここで、天井及び壁を支持する構成としては、より簡単なものが望ましく、その一例としては特許文献１に記載の構成が挙げられる。
【０００３】
具体的に説明すると、特許文献１では、梁に固定された金物によって桟木が支持されており、この桟木に天井を保持するためのランナー（天井保持用ランナー）と、壁を保持するためのランナー（壁保持用ランナー）と、が固定されている。これにより、特許文献１では、天井及び壁が上記の桟木や各ランナーを介して梁に支持されるようになっている。
【先行技術文献】
【特許文献】
【０００４】
【特許文献１】特開２０１５−１５８０６５号公報
【発明の概要】
【発明が解決しようとする課題】
【０００５】
ところで、建物の防耐火性能を担保する上で、壁の支持構造、具体的には壁保持用ランナー及びこれを固定する部材が十分な耐火性能を備えている必要がある。一方、特許文献１では、壁保持用ランナーが木製の桟木に固定されているため、十分な耐火性能が得られず、結果として建物の防耐火性能を担保することができない虞がある。
【０００６】
そこで、本発明は、上記の課題に鑑みてなされたものであり、その目的とするところは、防耐火性能を確保しつつ、天井及び壁を適切に支持することが可能な建物を提供することである。
【課題を解決するための手段】
【０００７】
前記課題は、本発明の建物によれば、梁の下方位置に設置された天井と、該天井の下方位置で該天井と交差するように設置された壁と、を備えた建物であって、不燃材料からなり、前記天井を前記梁の下方位置に保持しておくための天井保持用ランナーと、不燃材料からなり、前記壁を前記天井の下方位置に保持しておくための壁保持用ランナーと、を有し、前記天井保持用ランナーが前記梁に支持され、前記壁保持用ランナーが前記天井保持用ランナーの下部に固定されていることにより解決される。
【０００８】
以上のように構成された本発明の建物では、天井保持用ランナーが梁に支持され、壁保持用ランナーが天井保持用ランナーの下部に固定されている。これにより、天井及び壁は、各ランナーを介して梁に支持される。また、本発明の建物では、天井保持用ランナー及び壁保持用ランナーが、いずれも不燃材料からなる。したがって、壁保持用ランナーを固定する部材（すなわち、天井保持用ランナー）が十分な耐火性能を備え、結果として、建物の防耐火性能を十分に担保することが可能となる。
【０００９】
また、本発明の建物に関して好適な構成を述べると、前記梁の下端部に固定され、前記梁の下端部から延出した金物を更に有し、前記天井保持用ランナーは、前記金物に固定されていることで前記梁に支持されているとよい。
上記の構成では、梁の下端部に金物が固定されている。この金物を利用することで、天井保持用ランナーを適切に梁に支持させることが可能となる。
【００１０】
また、本発明の建物に関してより好適な構成を述べると、前記壁は、前記壁より前記建物の屋外側にある外壁に沿って設置された内壁であり、前記金物は、前記外壁に向かって延出し、前記外壁が固定されている外壁固定部と、該外壁固定部と一体化しており、前記天井保持用ランナーが固定されているランナー固定部と、を有するとよい。
上記の構成では、外壁を梁に固定するために用いられる金物を、天井保持用ランナーを梁に支持させるために利用する。これにより、天井保持用ランナーを梁に支持させるための金物を別途用意する場合と比較して、部品点数をより少なくすることが可能となる。
【００１１】
また、本発明の建物に関して更に好適な構成を述べると、前記天井は、該天井の下部に設置されたボード材と、該ボード材の上方に位置して該ボード材が固定されている下地材と、を有し、前記天井保持用ランナーには、前記下地材における屋外側の端部が係合しており、前記天井保持用ランナーに係合された前記下地材の端部が固定具によって前記天井保持用ランナーとともに前記金物に固定されているとよい。
上記の構成では、天井を構成する下地材の、屋外側の端部が天井保持用ランナーに係合している。また、天井保持用ランナーに係合された下地材の端部が固定具によって天井保持用ランナーとともに金物に固定（共締め）されている。これにより、下地材における屋外側の端部及び天井保持用ランナーを金物に強固に固定することが可能となる。
【００１２】
また、本発明の建物に関して一層好適な構成を述べると、前記下地材は、該下地材における屋内側の端部及び屋外側の端部を構成する端部構成材と、該端部構成材の間に配置されており該端部構成材の各々と交差する方向に延びた交差材と、を有し、前記端部構成材の各々は、前記梁の延出方向と同じ方向に延びた角材であり、前記天井保持用ランナーには、前記下地材における屋外側の端部を構成する前記端部構成材が係合しているとよい。
上記の構成では、端部構成材及び交差材によって構成された枠体状の下地材中、屋外側の端部を構成する端部構成材を天井保持用ランナーに係合することで、下地材を含む天井を梁に支持させる。これにより、例えば、天井保持用ランナーに桟木を係合させて当該桟木に上記の端部構成材を取り付ける場合と比較して、桟木が不要になり、その分より単純化された構成にて天井を梁に支持させることが可能となる。
【００１３】
また、本発明の建物に関して尚一層好適な構成を述べると、前記天井保持用ランナーは、前記交差材の延出方向に延びた上壁及び下壁と、前記上壁における屋外側の端から前記下壁における屋外側の端まで垂下した垂下壁と、を有し、前記上壁、前記下壁及び前記垂下壁に囲われたスペース内に、前記下地材における屋外側の端部を構成する前記端部構成材が配置されており、前記交差材の延出方向において、前記上壁の長さは、前記下壁の長さよりも短くなっており、前記下壁の長さは、前記下地材における屋外側の端部を構成する前記端部構成材の長さよりも長くなっているとよい。
上記の構成では、下地材における屋外側の端部を構成する端部構成材を、天井保持用ランナーにおいて上壁、下壁及び垂下壁に囲われたスペースに配置することで、上記の端部構成材を天井保持用ランナーに容易に係合させることが可能となる。
【００１４】
また、本発明の建物に関して一段と好適な構成を述べると、前記交差材は、前記端部構成材の延出方向に沿って一定間隔毎に複数配置されて、前記下壁は、前記下地材における屋外側の端部を構成する前記端部構成材よりも屋内側に張り出した張り出し部分を有しており、該張り出し部分のうち、前記端部構成材の延出方向において前記交差材の間に位置する領域には、前記ボード材を固定するための固定具が打ち込まれているとよい。
上記の構成では、下壁の張り出し部分のうち、端部構成材の延出方向において交差材の間に位置する領域に、ボード材を固定するための固定具が打ち込まれている。これにより、端部構成材の延出方向において交差材が存在していない箇所にもボード材を固定することが可能となる。より詳しく説明すると、固定具の打設ピッチを比較的短く設定し、厳密には、端部構成材の延出方向において交差材が配置されているピッチよりも短く設定することが可能となる。この結果、ボード材を適切に固定することが可能となる。
【発明の効果】
【００１５】
本発明の建物によれば、天井及び壁を梁に適切に支持させることが可能となる。また、本発明の建物によれば、壁保持用ランナーを固定する部材が不燃材料によって構成されているので、防耐火性能が十分に担保された建物を実現することが可能となる。
【図面の簡単な説明】
【００１６】
【図１】本発明の一実施形態に係る建物の内装構造を示す図である。
【図２】外壁固定用金物を示す図である。
【図３】図１に図示の内装構造を構築する施工方法の手順を示す図である。
【図４】天井保持用ランナーにおける石膏ボードの固定箇所を示す図である。
【発明を実施するための形態】
【００１７】
以下、本発明の一実施形態（以下、本実施形態）について図面を参照しながら説明する。なお、以下に説明する実施形態は、本発明の理解を容易にするためのものであり、本発明を限定するものではない。すなわち、本発明は、その趣旨を逸脱することなく、変更、改良され得る。また、当然ながら、本発明にはその等価物が含まれ得る。
【００１８】
＜＜本実施形態に係る建物について＞＞
本実施形態に係る建物（以下、建物１）は、その内装構造に特徴を有するものである。具体的に説明すると、以下に説明する建物１の内装構造によれば、建物１の天井２及び内壁３を比較的簡単な構成にて梁４に支持することが可能であり、かつ、建物１（特に、天井２と内壁３とがなす角部）における防耐火性能を担保することが可能である。
【００１９】
すなわち、本実施形態の内装構造は、防耐火性能が要求される建物１に対して有効であり、具体的には、住宅（戸建住宅及び集合住宅）、商業ビル、工場内の建屋、店舗及び施設等において有効に利用され得るものである。
【００２０】
以下、建物１の内装構造について説明する。なお、以下の説明では、梁４の延出方向を「梁方向」と呼ぶこととし、梁４と直交する方向を「桁方向」と呼ぶこととする。
【００２１】
本実施形態の内装構造は、図１に図示の構造となっている。図１は、本実施形態の内装構造の一例を示す断面図である。図１を参照しながら本実施形態の内装構造について説明すると、梁４の下方位置に天井２が設置されており、天井２の下方位置で内壁３が天井２と交差するように設置されている。すなわち、天井２及び内壁３は、建物１の内部空間において角部（コーナー部）をなしている。
【００２２】
なお、梁４は、図１に示すようにＨ形鋼からなり、建物１の躯体の一部を構成している。また、内壁３（厳密には、建物１の内部空間の外縁に配置された内壁３）の屋外側には、外壁５が当該内壁３と対向するように設置されている。
【００２３】
換言すると、天井２とともに建物１の内部空間の角部をなす内壁３は、外壁５に沿って設置された壁である。なお、内壁３は、外壁５から所定の距離だけ離れた位置に設置されている。また、本実施形態において、外壁５は、外張断熱仕様の積層パネルからなる。そして、外壁５において最も屋内側に位置する層は、図１に示すように、略矩形状の鋼製フレーム５ａと、鋼製フレーム５ａの内側スペースに充填された断熱材５ｂによって構成されている。
【００２４】
天井２の構成について詳しく説明すると、天井２は、図１に示すように、石膏ボード１１及び天井パネル１２を有する。石膏ボード１１は、平面視で略矩形状のボード材であり、天井２の下部に設置されている。なお、本実施形態において、石膏ボード１１は、その長手方向が桁方向に沿うように設置されている。
【００２５】
天井パネル１２は、石膏ボード１１を固定するための下地材であり、石膏ボード１１の上方に位置している。そして、天井パネル１２には石膏ボード１１が下方から固定されている。具体的に説明すると、天井パネル１２は、格子状に組み立てられた角材（桟木）によって構成されている。すなわち、石膏ボード１１は、図１に図示の縦桟１３及び横桟１４によって構成されている。
【００２６】
縦桟１３は、石膏ボード１１における屋内側の端部及び屋外側の端部を構成する端部構成材に相当する。この縦桟１３は、梁方向と同じ方向に長く延びており、桁方向において間隔を空けて一対設けられている。なお、図１では、図示の都合上、屋外側の端部を構成する縦桟１３のみを図示している。
【００２７】
横桟１４は、交差材に相当し、一対の縦桟１３の間に配置されており、桁方向（すなわち、各縦桟１３と交差する方向）に延びている。また、横桟１４は、梁方向（すなわち、縦桟１３の延出方向）に沿って一定間隔毎に複数配置されている。
【００２８】
以上のように構成された天井パネル１２では、縦桟１３及び横桟１４の各々に対して石膏ボード１１が下方からビス止めされている。これにより、天井パネル１２に石膏ボード１１が固定されている。
【００２９】
内壁３の構成について詳しく説明すると、内壁３は、図１に示すように、内壁鋼製スタッド２１及び仕上げ材２２からなる。内壁鋼製スタッド２１は、仕上げ材２２を固定するための壁用下地材であり、内壁鋼製スタッド２１の屋内側端面に仕上げ材２２がビス止めされている。なお、内壁鋼製スタッド２１及び仕上げ材２２は、図１に示すように鉛直方向（上下方向）に沿って長く延びている。
【００３０】
また、図１に示すように、仕上げ材２２は、その上端が内壁鋼製スタッド２１の上端よりも若干下がった位置、より詳しくは、石膏ボード１１の厚み分だけ下がった位置に配置されるように内壁鋼製スタッド２１に固定されている。そして、内装構造が完成した状態では、同図に示すように、仕上げ材２２の上端の上に石膏ボード１１の屋外側の端部が載っている。より厳密に説明すると、内装構造が完成した状態では、天井パネル１２の下面と、仕上げ材２２の上端面との間に空間が形成されており、かかる空間内に石膏ボード１１の屋外側の端部が差し込まれている。
【００３１】
次に、天井２、内壁３及び外壁５を支持するための機構（以下、支持機構）について説明する。支持機構は、図２に図示の外壁固定用金物６と、図１に図示の天井保持用ランナー７及び壁保持用ランナー８と、によって構成されている。図２は、外壁固定用金物６の一例を示す図である。なお、図２中には、互いに直交する３つの座標軸（Ｘ軸、Ｙ軸及びＺ軸）が併せて図示されている。
以下、外壁固定用金物６、天井保持用ランナー７及び壁保持用ランナー８の順に説明する。
【００３２】
（外壁固定用金物について）
外壁固定用金物６は、外壁５を梁４に対して固定するために用いられる金物であり、図２に示すように、矩形平板状の第一部分６ａと、Ｘ軸方向における第一部分６ａの一端からＺ軸方向に延出した第二部分６ｂと、Ｙ軸方向における第一部分６ａの端部からＺ軸に沿って張り出した第三部分６ｃと、を有する。また、第三部分６ｃには、Ｌ字状のアングルによって構成されたランナー固定部６ｄが接合されている。このランナー固定部６ｄは、第三部分６ｃを介して第一部分６ａに繋がれており（すなわち、第一部分６ａと一体化しており）、Ｚ軸方向に沿って長く延びている。
【００３３】
以上のような形状となった外壁固定用金物６は、梁４の下側フランジ部４ａ（下端部）に固定された状態で利用されている。具体的に説明すると、図１に示すように、外壁固定用金物６の第一部分６ａの一端部（厳密には、屋内側の端部）が下側フランジ部４ａにボルト止めされている。下側フランジ部４ａに固定された状態の第一部分６ａは、下側フランジ部４ａから外壁５に向かって延びている。
【００３４】
また、第一部分６ａが下側フランジ部４ａに固定された状態において、第一部分６ａの他端部（厳密には、屋外側の端部）には第二部分６ｂが位置している。そして、図１に示すように、第二部分６ｂには外壁５の鋼製フレーム５ａの上端部がボルト止めされている。以上のように、外壁固定用金物６の第一部分６ａ及び第二部分６ｂは、外壁固定用金物６において、外壁５を梁４に固定するために設けられた外壁固定部をなしている。
【００３５】
また、第一部分６ａが下側フランジ部４ａに固定された状態では、ランナー固定部６ｄが第一部分６ａに接続された第三部分６ｃから下方に垂下している。さらに、Ｌ字状であるランナー固定部６ｄのうち、一辺に相当する側壁６ｅは、屋内側に面している。この側壁６ｅには、図１に示すように天井保持用ランナー７が固定されている。
【００３６】
（天井保持用ランナーについて）
天井保持用ランナー７は、天井２を梁４の下方位置に保持しておくために用いられる部材である。この天井保持用ランナー７は、不燃材料からなり、より具体的には鋼板を折り曲げ加工することで構成されている。また、天井保持用ランナー７は、図１に示すように外壁固定用金物６のランナー固定部６ｄに固定されており、外壁固定用金物６を介して梁４に支持されている。
【００３７】
天井保持用ランナー７は、天井２を保持するにあたり、天井パネル１２における屋外側の端部と係合している。具体的に説明すると、図１に示すように、天井保持用ランナー７には、天井パネル１２における屋外側の端部を構成する縦桟１３（端部構成材に相当）が係合している。
【００３８】
より詳しく説明すると、天井保持用ランナー７は、図１に示すように、桁方向（すなわち、横桟１４の延出方向）において屋内側に向かって延びた上壁７ａ及び下壁７ｂを有する。また、天井保持用ランナー７は、上壁７ａにおける屋外側の端から下壁７ｂにおける屋外側の端まで垂下した垂下壁７ｃを有する。この垂下壁７ｃの高さは、天井パネル１２における屋外側の端部を構成する縦桟１３（以下、屋外側の縦桟１３）の高さと略同一である。
【００３９】
そして、図１に示すように、上壁７ａ、下壁７ｂ及び垂下壁７ｃに囲われたスペース内に屋外側の縦桟１３が配置されている。具体的には、屋外側の縦桟１３は、その屋外側の端面が垂下壁７ｃに当接するように配置されている。これにより、天井保持用ランナー７に屋外側の縦桟１３が係合している。
【００４０】
なお、桁方向において上壁７ａの長さは、図１に示すように下壁７ｂの長さよりも幾分短くなっており、屋内側に向かって若干突出した程度の長さとなっている。このような構成により、上壁７ａ、下壁７ｂ及び垂下壁７ｃに囲われたスペース内に屋外側の縦桟１３を配置する際には、上壁７ａによってガイドしながら屋外側の縦桟１３を上記スペース内に容易に導くことが可能である。
【００４１】
そして、天井保持用ランナー７に係合した縦桟１３（すなわち、屋外側の縦桟１３）は、図１に示すように、天井保持用ランナー７と共に外壁固定用金物６のランナー固定部６ｄにビス止めされている。厳密には、屋外側の縦桟１３と天井保持用ランナー７とは、共通のビスＢ（固定具に相当）によってランナー固定部６ｄに固定されている。
【００４２】
天井保持用ランナー７の形状について付言しておくと、天井保持用ランナー７は、梁方向に長い長尺体であり、天井パネル１２の縦幅（梁方向における長さ）よりも長くなっている。したがって、天井保持用ランナー７が天井パネル１２における屋外側の縦桟１３と係合している状態では、当該縦桟１３の長手方向一端から他端に亘って天井保持用ランナー７各部（すなわち、上壁７ａ、下壁７ｂ及び垂下壁７ｃ）が当該縦桟１３と当接していることになる。
【００４３】
また、図１に示すように、桁方向における下壁７ｂの長さは、屋外側の縦桟１３の横幅（桁方向における長さ）よりも長くなっている。したがって、天井保持用ランナー７に屋外側の縦桟１３が係合している状態では、下壁７ｂの自由端側の端部（屋内側の端部）が屋外側の縦桟１３よりも屋内側に張り出している。換言すると、下壁７ｂは、屋外側の縦桟１３よりも屋内側に張り出した張り出し部分７ｄを有していることになる。
【００４４】
そして、本実施形態では、上記の張り出し部分７ｄを利用して石膏ボード１１をより強固に固定している。具体的に説明すると、石膏ボード１１を固定する際、石膏ボード１１における屋外側の端部については、より強固に固定する必要がある。このため、石膏ボード１１における屋外側の端部の直上位置では、張り出し部分７ｄを利用することで、石膏ボード１１を固定するためのビスＤ（固定具に相当）を横桟１４の配設間隔よりも短い打設ピッチで打ち込んでいる。これにより、石膏ボード１１における屋外側の端部がより強固に固定されている。
【００４５】
（壁保持用ランナーについて）
壁保持用ランナー８は、内壁３を天井２の下方位置に保持しておくために用いられる部材である。この壁保持用ランナー８は、不燃材料からなり、より具体的には略下向きＵ字状に折り曲げられた鋼板によって構成されている。そして、壁保持用ランナー８は、内壁３が有する内壁鋼製スタッド２１の上端部に係合することで、内壁３を保持している。
【００４６】
また、壁保持用ランナー８は、図１に示すように天井保持用ランナー７の下部に固定されている。厳密に説明すると、壁保持用ランナー８の上端部が、天井保持用ランナー７の下壁７ｂのうち、屋外側の縦桟１３の直下に位置する部分にビス止めされている。以上のように壁保持用ランナー８は、天井保持用ランナー７に固定されていることにより、天井保持用ランナー７及び外壁固定用金物６を介して梁４に支持されていることになる。
【００４７】
＜＜内装構造の施工方法＞＞
次に、以上までに説明してきた内装構造に関して、図３及び図４を参照しながら、当該内装構造を構築する施工方法の手順について説明する。図３は、図１に図示の内装構造を構築する施工方法の手順を示す図である。図４は、天井保持用ランナー７における石膏ボード１１の固定箇所を示す図であり、天井保持用ランナー７及び天井パネル１２を上方から見た図である。なお、図４中、黒丸で表記した箇所が石膏ボード１１の固定箇所に相当する。
【００４８】
内装構造を構築するにあたっては、梁４を含め、建物１の躯体各部が既に所定位置に配置されている。その上で、先ず、梁４の下側フランジ部４ａに外壁固定用金物６を固定する。この際、外壁固定用金物６の第一部分６ａが桁方向に延出し、その先端部に位置する第二部分６ｂが屋外側に面するように外壁固定用金物６を配置する。その後、外壁５を所定位置に配置し、当該外壁５の鋼製フレーム５ａを外壁固定用金物６の第二部分６ｂに固定する。これにより、外壁５が梁４に対して固定されるようになる。
【００４９】
外壁５を固定した後には、外壁固定用金物６のランナー固定部６ｄに天井保持用ランナー７を固定し、天井保持用ランナー７によって天井パネル１２を保持する。より詳しく説明すると、図３に示すように、天井保持用ランナー７の垂下壁７ｃをランナー固定部６ｄの側壁６ｅの下部に近接させるとともに、天井パネル１２における屋外側の縦桟１３を天井保持用ランナー７に係合させる。具体的には、上壁７ａ、下壁７ｂ及び垂下壁７ｃに囲われたスペース内に屋外側の縦桟１３を配置させる。
【００５０】
その後、天井保持用ランナー７に係合された屋外側の縦桟１３を、図３に図示のビスＢによって天井保持用ランナー７と共にランナー固定部６ｄに固定（共締め）する。これにより、天井保持用ランナー７が外壁固定用金物６を介して梁４に支持されるようになり、また、天井パネル１２が天井保持用ランナー７によって保持されるようになる。
【００５１】
天井パネル１２を天井保持用ランナー７に保持させた後には、石膏ボード１１を天井パネル１２に固定する。具体的には、石膏ボード１１のうち、天井パネル１２の横桟１４の直下位置にある部分の下方からビスＤを打ち込む。また、石膏ボード１１のうち、屋外側の端部については、梁方向において横桟１４が配置されている間隔よりも短い間隔でビスＤを打ち込む。
【００５２】
より詳しく説明すると、石膏ボード１１における屋外側の端部の直上位置には、図１に示すように、天井保持用ランナー７の下壁７ｂのうち、張り出し部分７ｄが配置されている。張り出し部分７ｄは、図４に示すように、梁方向において複数の横桟１４を跨ぐように配置されている。すなわち、張り出し部分７ｄは、梁方向において横桟１４が存在する領域（つまり、横桟１４の直下にある領域）と、横桟１４の間に位置する領域（つまり、直上位置に横桟１４が存在しない領域）とを交互に有する。
【００５３】
そして、石膏ボード１１における屋外側の端部の下方から、張り出し部分７ｄにおける上記２つの領域のそれぞれに対してビスＤを打ち込む。これにより、図４に示すように梁方向において横桟１４が配置されている間隔よりも短い間隔でビスＤが打ち込まれ、結果として、石膏ボード１１における屋外側の端部をより強固に固定することが可能となる。
【００５４】
なお、張り出し部分７ｄを利用して石膏ボード１１を固定する構成は、本実施形態のように天井保持用ランナー７に天井パネル１２における屋外側の端部（すなわち、屋外側の縦桟１３）を係合させる場合に特に有効である。詳しく説明すると、天井保持用ランナー７に屋外側の縦桟１３を係合させてしまうと、天井パネル１２における屋外側の端部を固定するためのビスＤを縦桟１３に打ち込み難くなる。
【００５５】
これに対して、本実施形態では張り出し部分７ｄが設けられているので、縦桟１３の代わりに上記のビスＤを打ち込む箇所が確保されている。このため、天井パネル１２における屋外側の端部を適切に固定することが可能となる。
【００５６】
内装構造の施工方法についての説明に戻ると、石膏ボード１１を固定した後には、壁保持用ランナー８を天井保持用ランナー７の下部に固定し、当該壁保持用ランナー８によって内壁３を保持する。より詳しく説明すると、既に設置された天井保持用ランナー７の下壁７ｂ、厳密には下壁７ｂにおいて屋外側の縦桟１３の直下に位置する部分に壁保持用ランナー８の上端部をビス止めする。その後、内壁３の内壁鋼製スタッド２１の上端部を壁保持用ランナー８に係合させる。これにより、壁保持用ランナー８が天井保持用ランナー７及び外壁固定用金物６を介して梁４に支持されるようになる。また、内壁鋼製スタッド２１が壁保持用ランナー８によって保持されるようになる。
【００５７】
なお、石膏ボード１１を固定するタイミングについては、上述の内容に限定されず、例えば、壁保持用ランナー８を天井保持用ランナー７の下部に固定し、壁保持用ランナー８によって内壁３を保持した後に石膏ボード１１を固定してもよい。
【００５８】
内壁鋼製スタッド２１を壁保持用ランナー８に保持させた後には、仕上げ材２２を内壁鋼製スタッド２１に固定する。具体的には、図１に示すように、仕上げ材２２の屋内側からビスＤを打ち込む。このビスＤは、仕上げ材２２を貫通し、さらに内壁鋼製スタッド２１の上端と係合した壁保持用ランナー８の側壁をも貫通するように打ち込まれる。これにより、仕上げ材２２が内壁鋼製スタッド２１に固定されるようになる。
【００５９】
なお、図１に示すように、仕上げ材２２は、その上端が内壁鋼製スタッド２１の上端よりも石膏ボード１１の厚み分だけ下がった位置に配置されるように固定される。
【００６０】
以上までの手順により内装構造のうち、天井２及び内壁３を支持するための構造が完成する。その後、残りの内装構造を構築するための工程が行われ、当該工程が終了した時点で内装構造の施工作業が終了する。
【００６１】
＜＜その他の実施形態＞＞
以上までに本実施形態に係る建物１の内装構造について一例を挙げて説明した。ただし、上記の実施形態に限定されるものではない。特に、外壁固定用金物６、天井保持用ランナー７及び壁保持用ランナー８については、上述した形状や材質に限定されるものではない。例えば、天井保持用ランナー７及び壁保持用ランナー８は、金属以外の不燃材料によって構成されてもよい。また、外壁固定用金物６の形状については、図２に図示の形状に限られず、天井保持用ランナー７及び壁保持用ランナー８を固定し得る限り、他の形状であってもよい。
【００６２】
また、上記の実施形態では、天井保持用ランナー７が外壁固定用金物６を介して梁４に固定されていることとしたが、天井保持用ランナー７の一部を梁４に向けて延出させて、当該部分を梁４に固定することで天井保持用ランナー７を梁４に直接固定してもよい。
【００６３】
また、上記の実施形態では、外壁固定用金物６の一部（具体的には、ランナー固定部６ｄ）を、天井保持用ランナー７を梁４に対して支持させるための金物として利用したが、これに限定されるものではない。天井保持用ランナー７を梁４に対して支持させるための金物を、外壁固定用金物６とは別に用意し、梁４の下側フランジ部４ａにおいて外壁固定用金物６とは異なる箇所に固定してもよい。
【符号の説明】
【００６４】
１  建物
２  天井
３  内壁（壁）
４  梁
４ａ  下側フランジ部（下端部）
５  外壁
５ａ  鋼製フレーム
５ｂ  断熱材
６  外壁固定用金物（金物）
６ａ  第一部分（外壁固定部）
６ｂ  第二部分（外壁固定部）
６ｃ  第三部分
６ｄ  ランナー固定部
６ｅ  側壁
７  天井保持用ランナー
７ａ  上壁
７ｂ  下壁
７ｃ  垂下壁
７ｄ  張り出し部分
８  壁保持用ランナー
９  固定ネジ
１１  石膏ボード（ボード材）
１２  天井パネル（下地材）
１３  縦桟（端部構成材）
１４  横桟（交差材）
２１  内壁鋼製スタッド
２２  仕上げ材
Ｂ  ビス（固定具）
Ｄ  ビス（固定具）
【図１】
2018150721.tif 000003
【図２】
2018150721.tif 000004
【図３】
2018150721.tif 000005
【図４】
2018150721.tif 000006